(57)【要約】    【課題】装置周囲の雰囲気に応じた適切な運転を行うことのできるミスト発生装置および空気調和機を提供する。    【解決手段】制御において、各センサの検知内容のうち、レベル４の検知が存在するか否かが判断される。そして、いずれかのセンサにおいて、レベル４の検知が存在すれば（ステップＴ１でＹＥＳ）、ミスト発生量が「強」とされる。また、風量が「強」にされる（ステップＴ２）。そして、いずれのセンサの検知内容においてもレベル４の検知が存在しない場合には（ステップＴ１でＮＯ）、次いで、レベル３の検知が存在するか否かが判断される。以下、同様にして、各検知レベルに応じた運転が行われる。これにより、適切（効率的）な運転を行うことができる。【選択図】            図１０
2006006563.tif 000002
【特許請求の範囲】
【請求項１】
ミストを放出するためのミスト発生装置であって、
水を貯めることのできる貯水部と、
上記貯水部に貯められた水を電気分解して電解水を生成するための電極と、
装置周囲の雰囲気情報を検知する情報検知手段と、
上記情報検知手段によって検知された雰囲気情報に応じて制御される、上記貯水部の電解水に泡を発生させるための泡発生機構と、
上記泡発生機構によって発生された泡が大気中に解放される際に弾けることによって発生したミストを装置外へ放出するためのミスト放出手段と、を備えることを特徴とするミスト発生装置。
【請求項２】
上記情報検知手段は、
装置周囲の温度を検知する温度検知手段と、
装置周囲の湿度を検知する湿度検知手段と、を含むことを特徴とする請求項１に記載のミスト発生装置。
【請求項３】
上記情報検知手段は、装置周囲のものの動きを検知する動作検知手段を含むことを特徴とする請求項１または２に記載のミスト発生装置。
【請求項４】
上記情報検知手段は、装置周囲に所定のガスが存在することを検知するガス検知手段を含むことを特徴とする請求項１〜３のいずれかに記載のミスト発生装置。
【請求項５】
上記情報検知手段は、装置周囲に所定量以上の塵埃が浮遊していることを検知する塵埃検知手段を含むことを特徴とする請求項１〜４のいずれかに記載のミスト発生装置。
【請求項６】
上記ミスト放出手段は、発生したミストを装置外へ放出するための風供給手段を含み、
検知した雰囲気情報に応じて、上記泡発生機構による泡の発生量および上記風供給手段による風の強弱を調整することを特徴とする請求項１〜５のいずれかに記載のミスト発生装置。
【請求項７】
請求項１〜６のいずれかに記載のミスト発生装置を備えることを特徴とする空気調和機。
【発明の詳細な説明】
【技術分野】
【０００１】
この発明は、ミスト発生装置およびミスト発生装置を備える空気調和機に関する。
【背景技術】
【０００２】
機外の空気を取り込み、所定の処理を施して機外に排出することにより室内の空気調和を行うための空気調和機として、機外の空気を機内に取り込むために回転されるファンと、機内に取り込まれた空気が通過するフィルタとを備えた空気清浄機が知られている。機内に取り込まれた空気は、フィルタを通過することによって、その空気中に含まれる塵埃などが除去されるようになっている（たとえば、特許文献１参照）。
【０００３】
しかしながら、特許文献１に開示されているような空気清浄機では、空気中に含まれる塵埃などは除去されるものの、フィルタでは除菌できない微小な雑菌などを殺菌したり、臭いを脱臭したりすることはできない。そこで、殺菌機能や脱臭機能を備えた空気清浄機が提案されている（特許文献２参照）。
この特許文献２に開示されているような空気清浄機では、殺菌作用や脱臭作用を有する液体を貯水部に収容して、その液体を用いて生成したミストを機外に排出することによって、雑菌を殺菌したり、臭いを脱臭したりすることができる。
【特許文献１】特開２００３−１０２８１６号公報
【特許文献２】特開２００３−７９７１４号公報
【発明の開示】
【発明が解決しようとする課題】
【０００４】
しかしながら、特許文献２に開示されているような空気清浄機では、一度運転を開始すると、機外の温度や湿度などの雰囲気の変化にかかわりなく運転を継続する。一方で、たとえば、空気中に存在するカビ菌やウィルスの活動性（活動範囲）は気温および湿度により異なり、また、床に落ちている（床に積もった）塵埃は、人の動きによって舞い上がる。すなわち、空気を清浄する必要性は、機外の雰囲気に応じて変化するものであるため、上記のような空気清浄機では、機外の雰囲気に応じた適切な運転がされているとは言い難い場合がある。また、ミストを生成するための専用の液体を貯水部に収容しなければならず、面倒であるという問題もある。
【０００５】
この発明は、かかる背景のもとでなされたもので、装置周囲の雰囲気に応じた適切な運転を行うことのできるミスト発生装置および空気調和機を提供することを目的とする。
また、この発明は、専用の液体を用意することなく、殺菌機能や脱臭機能を達成することができるミスト発生装置および空気調和機を提供することを他の目的とする。
【課題を解決するための手段】
【０００６】
上記目的を達成するための請求項１に記載の発明は、ミストを放出するためのミスト発生装置（１２）であって、水を貯めることのできる貯水部（１５）と、上記貯水部に貯められた水を電気分解して電解水を生成するための電極（３５）と、装置周囲の雰囲気情報（３Ａ，３Ｂ，３Ｃ，１０Ｂ）を検知する情報検知手段と、上記情報検知手段によって検知された雰囲気情報に応じて制御される、上記貯水部の電解水に泡を発生させるための泡発生機構（１３，１８，２０，２１）と、上記泡発生機構によって発生された泡が大気中に解放される際に弾けることによって発生したミストを装置外へ放出するためのミスト放出手段（４）と、を備えることを特徴とするミスト発生装置である。
【０００７】
なお、括弧内の英数字は、後述の実施形態における対応構成要素などを表す。以下、この項において同じ。
この構成によれば、雰囲気情報に応じて、ミストが発生させられて装置外に放出される。たとえば、装置周囲の大気が汚れているという雰囲気情報に応じてミストを装置外に放出するようにすれば、雰囲気に応じた適切な運転を行うことができ、無駄な運転動作を省くことができる。
【０００８】
また、電極への通電を行って貯水部に貯められた水（たとえば、水道水）を電気分解することにより、殺菌作用や脱臭作用を有する次亜塩素酸（ＨＣｌＯ）や活性酸素を含む電解水を生成することができる。そして、この生成された電解水に対して泡発生機構により泡を発生させることにより、殺菌作用や脱臭作用を有するミストを発生させることができ、このミストを装置外に放出することで、専用の液体を用意することなく殺菌機能や脱臭機能を達成することができる。
【０００９】
請求項２に記載の発明は、上記情報検知手段は、装置周囲の温度を検知する温度検知手段（１０Ｂ）と、装置周囲の湿度を検知する湿度検知手段（１０Ｂ）と、を含むことを特徴とする請求項１に記載のミスト発生装置（１２）である。
この構成によれば、検知された装置周囲の温度および湿度に応じて、ミストが発生させられて装置外に放出される。一般的に、カビ菌やウィルスが活動しやすい雰囲気は、温度および湿度によって定まる。すなわち、装置周囲の空気がカビ菌やウィルスが活動しやすい温度および湿度となった場合に、ミストを発生させて装置外に放出することで適切（効率的）な運転を行うことができる。
【００１０】
請求項３に記載の発明は、上記情報検知手段は、装置周囲のものの動きを検知する動作検知手段（３Ａ）を含むことを特徴とする請求項１または２に記載のミスト発生装置（１２）である。
この構成によれば、装置周囲のものの動きに応じて、ミストが発生させられて装置外に放出される。たとえば、床に落ちている（床に積もった）塵埃は、人が動くことにより空気に流れが生じ、この空気の流れによって塵埃が舞い上がり、空気が汚れる。すなわち、装置周囲にものの動きが生じた場合に、ミストを発生させて装置外に放出することで適切（効率的）な運転を行うことができる。
【００１１】
なお、装置周囲のものの動きとは、たとえば、人の動きやペットの動きである。
請求項４に記載の発明は、上記情報検知手段は、装置周囲に所定のガスが存在することを検知するガス検知手段（３Ｂ）を含むことを特徴とする請求項１〜３のいずれかに記載のミスト発生装置（１２）である。
この構成によれば、装置周囲に所定のガスが存在することに応じて、ミストが発生させられて装置外に放出される。よって、ガスの存在に応じた適切（効率的）な運転を行うことができる。
【００１２】
請求項５に記載の発明は、上記情報検知手段は、装置周囲に所定量以上の塵埃が浮遊していることを検知する塵埃検知手段（３Ｃ）を含むことを特徴とする請求項１〜４のいずれかに記載のミスト発生装置（１２）である。
この構成によれば、装置周囲に所定量以上の塵埃が浮遊していることに応じて、ミストが発生させられて装置外に放出される。よって、塵埃が浮遊することに応じた適切な（効率的）な運転を行うことができる。
【００１３】
請求項６に記載の発明は、上記ミスト放出手段は、発生したミストを装置外へ放出するための風供給手段（４）を含み、検知した雰囲気情報に応じて、上記泡発生機構（１３，１８，２０，２１）による泡の発生量および上記風供給手段による風の強弱を調整する（Ｔ１〜Ｔ９）ことを特徴とする請求項１〜５のいずれかに記載のミスト発生装置（１２）である。
【００１４】
この構成によれば、ミストを発生させるべき必要性の度合い、つまり雰囲気情報に応じて、ミストの発生量および風の強弱が調整される。たとえば、装置周囲の温度および湿度が、カビ菌およびウィルスが極めて活動しやすいものであれば、ミストを大量に発生させ、さらに、ミストを装置外に放出するための風の勢いを強くすることで、大量のミストを遠方まで拡散することができ、殺菌機能や脱臭機能が向上する。このようにして、装置周囲の雰囲気に応じて、より適切（効率的）な運転を行うことができる。
【００１５】
請求項７に記載の発明は、請求項１〜６のいずれかに記載のミスト発生装置（１２）を備えることを特徴とする空気調和機（１）である。
この構成によれば、請求項１〜６のいずれかに記載のミスト発生装置と同様の効果を奏する空気調和機を提供することができる。
【発明を実施するための最良の形態】
【００１６】
以下には、図面を参照して、この発明の実施形態について具体的に説明する。
図１は、この発明の一実施形態に係る空気清浄機１の外観構成を示す斜視図である。また、図２は、図１に示す矢印Ａ−Ａに沿って見た概略断面図であり、図３は、図１に示す矢印Ｂ−Ｂに沿って見た概略断面図である。図１における右奥側を後方、左手前側を前方として説明する。
【００１７】
図１〜図３を参照して、この空気清浄機１は、たとえば室内に設置されて、機外の空気を取り込み、その空気を清浄する処理を施して機外に排出することにより、室内の空気清浄を行うためのものである。空気清浄機１の外形は、左右方向の長さに比べて前後方向の長さが短い薄型のハウジング２により区画されている。ハウジング２の前面には、略矩形の前面板３が取り付けられている。また、前面板３の上方には、左から順に、機外のもの（主として、人）の動きを検知する人感センサ３Ａと、機外に所定のガスが存在することを検知するガス検知センサ３Ｂと、機外の空気中に浮遊している塵埃を検知する塵埃検知センサ３Ｃとが備えられている（詳しくは後述する）。
【００１８】
ハウジング２内には、前後方向に軸線が延びるように配置され、機外の空気を機内に取り込むために回転されるファン４と、このファン４に回転軸５Ａが取り付けられ、ファン４を回転させるために駆動されるモータ５と、機外の空気が機内に取り込まれる際に通過するフィルタ６とが備えられている（図３では、ファン４、回転軸５Ａおよびモータ５を省略して示している。）。
【００１９】
フィルタ６は、通過する空気に含まれる塵埃などを捕獲して空気を清浄するためのものであって、ハウジング２の前面に形成された略矩形の開口７内に着脱可能に取り付けられている。フィルタ６の厚みは開口７の奥行きよりも小さく形成され、フィルタ６は、開口７の後側部分に取り付けられている。前面板３は、フィルタ６の前方に一定の空間が形成されるように配置されていて、その下端面および左右両端面には、ハウジング２内に空気を取り込むための吸気口８が形成されている。
【００２０】
ファン４は、いわゆるシロッコファンであって、ファン４が回転されると、前方側（軸線方向の一方側）からファン４側に空気が流れて、その空気が径方向に放出されるようになっている。したがって、ファン４が回転されると、図２および図３において矢印Ｄ１で示すように、機外の空気が吸気口８からフィルタ６を通過してハウジング２内に取り込まれ、ファン４側に流れることとなる。
【００２１】
ハウジング２には、その左右側部の前端部に、それぞれハウジング２の上端から下端まで延びる断面略楕円形状の筒部１０が形成されている。一方（たとえば、右側）の筒部１０内の空間は、ハウジング２内に配置された区画壁１０Ａによってハウジング２内のその他の空間（ファン４やモータ５などが配置されている空間）から区画されている。右側の筒部１０の上方には、機外の温度および湿度を検知する温度・湿度検知センサ１０Ｂが備えられており（詳しくは後述する）、側面には、通気口１１が形成されている。また、開口７を形成する右側面壁の前側部分（フィルタ６よりも前側）には、上記右側の筒部１０内の空間に連通する貫通孔１０Ｃが形成されている。このような構成により、ファン４が回転されると、機外の空気が通気口１１から右側の筒部１０内に吸い込まれ、図３において矢印Ｄ３で示すように、貫通孔１０Ｃからフィルタ６の前方へと導かれ、フィルタ６を通過してハウジング２内に取り込まれるようになっている。
【００２２】
ハウジング２の上面には、ファン４の径方向の延長線上（ファン４によって放出される空気の流路内）に複数の排気口９が形成されていて、フィルタ６を通過することによって清浄された空気は、ファン４によって径方向に放出され、図２において矢印Ｄ２で示すように排気口９から上方に向かって機外に排出される。
他方（たとえば、左側）の筒部１０内の上端部には、ミストを発生するためのミスト発生装置１２が配置されている。ハウジング２内の下部には、ハウジング２内の空気（フィルタ６を通過した後の空気）を吸い込むためのエアポンプ１３が配置されていて、ミスト発生装置１２は、このエアポンプ１３から吸い込んだ空気を用いてミストを発生させることができるようになっている。ミスト発生装置１２から発生したミストは、左側の筒部１０の上端面に形成された噴霧口１４から上方に向かって機外に放出される。
【００２３】
図４は、図３における左側の筒部１０の近傍の断面を拡大して示す拡大断面図である。また、図５は、図４に示す矢印Ｃ−Ｃに沿って見た断面図であり、図６は、図４に示す矢印Ｄ−Ｄに沿って見た断面図である。
図４〜図６を参照して、ミスト発生装置１２には、上端面に開口を有し、規定量（たとえば、１６０ｃｃ程度）の水を貯めることができる貯水タンク１５と、この貯水タンク１５の上端面の開口を塞ぐための蓋１６とが備えられている。蓋１６の下面には、複数の通水孔１７Ａ，１７Ｂ，１７Ｃが形成された樹脂製で中空状の挿入部材１７が取り付けられている。
【００２４】
挿入部材１７の側面を構成する区画壁のうち、挿入部材１７内の電解室１９の左面を区画する左面壁１９Ａの上端から下端部にかけての部分と、電解室１９の右面を区画する右面壁１９Ｂの上端から下端部にかけての部分と、電解室１９の後面を区画する後面壁１９Ｃの上端から下端部にかけての部分とが、一体的に形成された平面視略コ字状の着脱部１９１を構成している。そして、左面壁１９Ａ、右面壁１９Ｂおよび後面壁１９Ｃに、それぞれ複数の通水孔１７Ｂが形成されている。
【００２５】
貯水タンク１５内に水を貯めた状態で、挿入部材１７を貯水タンク１５内に挿入するようにして蓋１６を貯水タンク１５の上端部に被せれば、挿入部材１７が貯水タンク１５内の水に浸かって、貯水タンク１５内の水が通水孔１７Ａ，１７Ｂ，１７Ｃを通って挿入部材１７内に流入するようになっている。挿入部材１７内には、それぞれ上下方向に長く延びる泡発生室１８と電解室１９とが、前後に並ぶように区画形成されている。
【００２６】
蓋１６には、泡発生室１８に対向する位置に、上方に向かって窪んだ凹部が左右方向に延びるように形成されていて、この凹部内の空間は、エアポンプ１３からミスト発生装置１２へと送られてきた空気を貯水タンク１５内（泡発生室１８内）に供給するための空気供給路２０を構成している。空気供給路２０の右方には、エアポンプ１３からの空気を供給するための供給口２１が配置されていて、この供給口２１の周縁部には、たとえばゴム製のパッキン２２が取り付けられている。空気供給路２０の右端部は左右方向に開放されていて、この空気供給路２０の右端部がパッキン２２に押さえ付けられることにより、エアポンプ１３から供給される空気を、供給口２１から空気供給路２０へと漏らすことなく送ることができるようになっている。
【００２７】
電解室１９内には、それぞれ電極保持部材３４によって保持された１対の電極板３５および水位検知用電極３６が配置されている。１対の電極板３５および水位検知用電極３６は、たとえば、チタンまたはルテニウム系材料に白金をコーティングし、その外側にイリジウムをコーティングすることにより形成されている。１対の電極板３５は、電解室１９の底部において左右方向に互いに一定間隔を空けて配置されていて、各電極板３５には上下方向に長尺な端子３７の下端部が結合されている。水位検知用電極３６は、上下方向に長尺であって、その下端部が電解室１９の底部（１対の電極板３５の下端よりも上方）に位置している。また、蓋１６の上方には、誘導部材２６が配置されていて、誘導部材２６の内部は、左右に延びる区画板２７によって第１区画室２８と第２区画室２９とに区画されていている。そして、２本の端子３７および水位検知用電極３６の各上端部は、蓋１６を貫通して第２区画室２９内に臨んでいる。第２区画室２９の右側の壁面には、当該壁面を貫通して誘導部材２６から右方に突出する３本のピン３８が取り付けられていて、２本の端子３７および水位検知用電極３６の各上端部は、それぞれ、配線を介して別々のピン３８に接続されている。
【００２８】
平面視において、ミスト発生装置１２の右側には（誘導部材２６の右側には）、１対の電極板３５および水位検知用電極３６を電源に接続するための接続ボックス３９が配置されている。接続ボックス３９内には、３本のピン３８を差し込むための３つのジャック４０が配置されていて、各ジャック４０は配線を介して電源に接続されている。誘導部材２６から右方に突出する３本のピン３８が、それぞれ対応するジャック４０に差し込まれることにより、１対の電極板３５および水位検知用電極３６に対して通電を行うことが可能になる。
【００２９】
貯水タンク１５の上端部の前面および背面には、それぞれ、当該貯水タンク１５に誘導部材２６を連結するためのフック４１が取り付けられている。各フック４１は、回動軸４１Ａを中心に前後方向に沿った鉛直面内で回動可能となっていて、各先端が最も高い位置まで回動された状態（図５に示す状態）で誘導部材２６の下端縁に引っ掛かって、誘導部材２６が貯水タンク１５側に押さえ付けられるようになっている。この状態では、貯水タンク１５の上端と誘導部材２６の下端とによって蓋１６が挟持され、貯水タンク１５、蓋１６および誘導部材２６が一体的に連結されることとなる。
【００３０】
ハウジング２の左側の筒部１０の上部（ミスト発生装置１２を取り囲む部分）は、ハウジング２に対して着脱可能なカバー２Ａを構成している。カバー２Ａの後側上部には、当該カバー２Ａをハウジング２から取り外す際に操作される操作部４２が取り付けられている。操作部４２は、ハウジング２に形成された係合孔４３に係合可能な爪部４４と、カバー２Ａの後面を貫通して後方側に露出し、カバー２Ａをハウジング２から取り外す際に前方に向かって押圧される押圧部４５と、押圧部４５が押圧されるのに伴って弾性変形し、爪部４４を前方側に回動させるための弾性変形部４６とを備えている。押圧部４５を押圧して爪部４４を前方側に回動させると、爪部４４の係合孔４３に対する係合が外れて、カバー２Ａをハウジング２から取り外すことが可能になる。カバー２Ａをハウジング２から取り外すと、ミスト発生装置１２が機外に露出した状態となる。
【００３１】
カバー２Ａをハウジング２から取り外した状態でミスト発生装置１２を水平方向左側にスライドさせると、３本のピン３８が対応するジャック４０から抜けるとともに、空気供給路２０の右端部が供給口２１（パッキン２２）から離間する。このようにして、ミスト発生装置１２を空気清浄機１から取り外した後、２つのフック４１を回動させて各先端の誘導部材２６に対する係合を解除すれば、誘導部材２６を貯水タンク１５から取り外すことができる。誘導部材２６を貯水タンク１５から取り外すと、さらに蓋１６を貯水タンク１５から取り外すことが可能になり、挿入部材１７を貯水タンク１５から抜き出すようにして蓋１６を貯水タンク１５から取り外すことにより、貯水タンク１５内に水を補給することが可能になる。
【００３２】
また、電解室１９の前面を区画する前面壁１９Ｄの左右両端部には、それぞれ後方に突出する係止爪１９Ｅが形成されており、着脱部１９１の左面壁１９Ａを区画する部分の前端部、および右面壁１９Ｂを区画する部分の前端部には、それぞれ対応する係止爪１９Ｅを引っ掛けて係止させるための係止孔１９Ｆが形成されている。これにより、着脱部１９１が取り外し可能となり、電解室１９を開放して、電解室１９内のメンテナンス（たとえば、電極板３５や水位検知用電極３６に付着した水に含まれるミネラル分（いわゆるスケール）の除去など）を行うこともできる。
【００３３】
貯水タンク１５内に水を補給した後、挿入部材１７を貯水タンク１５内に挿入するようにして蓋１６で貯水タンク１５の開口を塞ぎ、さらに蓋１６の上方に誘導部材２６を配置して２つのフック４１を回動させることにより、各フック４１を誘導部材２６に係合させて、貯水タンク１５、蓋１６および誘導部材２６を一体的に連結することができる。その後、一体となったミスト発生装置１２を右方向にスライドさせるようにしてハウジング２内に挿入することにより、３本のピン３８を対応するジャック４０に挿入させるとともに、空気供給路２０の右端部をパッキン２２に押し当て、ミスト発生装置１２を空気清浄機１に装着することができる。
【００３４】
貯水タンク１５に水が貯められた状態で、１対の電極板３５に互いに逆極性となるように所定の電圧（たとえば、１０Ｖ）が印加されると、１対の電極板３５間にある水に電流が流れる。塩素を含む水道水を貯水タンク１５内に貯めた状態で１対の電極板３５に通電を行った場合には、陽極、陰極および電極板間において下記のような電気化学反応が起こる。
（陽極側）
４Ｈ2Ｏ−４ｅ-→４Ｈ+＋Ｏ2↑＋２Ｈ2Ｏ
２Ｃｌ-→Ｃｌ2＋２ｅ-
Ｈ2Ｏ＋Ｃｌ2⇔ＨＣｌＯ＋Ｈ+＋Ｃｌ-
（陰極側）
４Ｈ2Ｏ＋４ｅ-→２Ｈ2↑＋４ＯＨ-
（電極板間）
Ｈ+＋ＯＨ-→Ｈ2Ｏ
上記のような電気化学反応により、殺菌作用や脱臭作用を有する次亜塩素酸（ＨＣｌＯ）や活性酸素を含む電解水を生成することができる。また、水位検知用電極３６と、１対の電極板３５のうちの一方とに通電が行われ、そのときの通電状態によって、貯水タンク１５内の水が所定水位（水位検知用電極３６の下端の水位）未満であるか否かが検知され得る。
【００３５】
また、貯水タンク１５内に水を貯めた状態でエアポンプ１３を駆動すると、空気供給路２０を通って送られてきた空気が泡発生室１８内に供給され、その圧力で泡発生室１８内の水が攪拌されて、多数の泡が発生する。挿入部材１７の前面下部には、前方に張り出して泡発生室１８を前方に延設するための張出部２３が形成されていて、泡発生室１８内で発生した泡の一部は、この張出部２３の上面に形成された多数の小孔２４から挿入部材１７の外部に流出するようになっている。泡発生室１８内で発生する泡の直径は、たとえば０．１〜１０ｍｍ程度であり、小孔２４の直径は、たとえば０．５ｍｍ程度である。したがって、小孔２４から流出する泡の直径は、０．１〜０．５ｍｍ程度となる。
【００３６】
小孔２４から流出した泡は、挿入部材１７の外側における貯水タンク１５内の水の水中を通って浮上し、貯水タンク１５内の水の水面から大気中（貯水タンク１５内の空気中）に解放される。この際、泡が弾けることによってミストが発生することとなる。
また、貯水タンク１５が透明な部材によって形成されるとともに、左側の筒部１０の一部（前面側）に形成された開口３１に透明カバー３２が取り付けられており、透明カバー３２を介して貯水タンク１５内の水に発生している泡を視認することができる。さらに、貯水タンク１５の下方には、上方に向かって光を照射する発光素子３３（たとえば、青色ＬＥＤなどのＬＥＤ素子）が配置されており、発光素子３３を発光させることにより、貯水タンク１５内の水を明るく照らし出すこともできる。
【００３７】
また、蓋１６には、小孔２４の上方の位置に、貯水タンク１５内で発生したミストを貯水タンク１５外に排出するための排出口２５が形成されている。排出口２５は、第１区画室２８の後部に臨んでいる。誘導部材２６の上面の前端部には、噴霧口１４に連通する連通口３０が形成されている。蓋１６の排出口２５と、誘導部材２６の連通口３０とは、互いに水平方向にずれた位置（上下方向に重ならない位置）に配置されていて、これにより、第１区画室２８が緩衝室として機能するようになっている。すなわち、排出口２５から第１区画室２８内に流入したミストは、排出口２５の上方における誘導部材２６（第１区画室２８）の内壁面に当たって第１区画室２８全体に拡がり、その後に連通口３０を介して噴霧口１４から機外に排出されるようになっている。
【００３８】
このようにしてミストを発生させる際に、上述の電解水の生成が並行して行われる。すなわち、生成された電解水に対してエアポンプ１３から空気供給路２０を介して空気を送り込み、泡を発生させることにより、殺菌作用や脱臭作用を有するミストを発生させることができる。このようにして発生された殺菌作用や脱臭作用を有するミストを噴霧口１４から機外へと放出すれば、専用の液体を用意することなく、水道水を用いて殺菌機能や脱臭機能を達成することができる。殺菌作用を有するミストを機外に放出することにより、アレルギーの抑制も期待できる。
【００３９】
さらに、噴霧口１４が排気口９の近傍に配置されているので、噴霧口１４から機外へと放出されるミストを、排気口９から排出される空気に混入させることができる（排気口９から放出される風により、機外に放出させることができる）。したがって、殺菌作用や脱臭作用を有するミストが混入した空気が機外の比較的広範囲に広がることとなり、殺菌効果や脱臭効果をより向上できる。
【００４０】
図７は、空気清浄機１の電気的構成を示すブロック図である。
人感センサ３Ａ、ガス検知センサ３Ｂ、塵埃検知センサ３Ｃ、温度・湿度検知センサ１０Ｂ、モータ５およびエアポンプ１３は、制御部６０に接続されている。制御部６０は、ＣＰＵやＲＯＭなどを含むマイクロコンピュータを中心に構成されており、後述するように、人感センサ３Ａ、ガス検知センサ３Ｂ、塵埃検知センサ３Ｃおよび温度・湿度検知センサ１０Ｂから入力された信号に応答して、モータ５およびエアポンプ１３の動作を制御する。
【００４１】
人感センサ３Ａは、機外周囲のものの動きを検知するもので、たとえば、赤外線センサを利用しており、主として人の動きを検知する。
ガス検知センサ３Ｂは、たとえば、ガスにより生じるセンサの電気抵抗の変化を読取ることで、ガスの存在を検知するものである。ガスとは、メタンやエタンなどのいわゆる還元性ガスであり、たとえば、タバコの煙や殺虫剤の存在を検知することもできる。
【００４２】
塵埃検知センサ３Ｃは、たとえば、所定空間内において、空気中に光を照射し、光の乱れまたは光の照射量を読取ることで、空気中に所定量以上の塵埃が浮遊していることを検知する。
温度・湿度検知センサ１０Ｂは、たとえば、サーミスタなどを備えており、空気中の温度および相対湿度を検知する。
【００４３】
空気清浄機１を運転させるべき状況は、機外の空気の状態に応じて変化する。すなわち、一般的に、空気清浄機は空気が汚れている場合に運転を行い、空気がきれいな場合には運転を停止させることが効率的な運転であるといえる。また、そのような運転を行うことで、省エネを達成することもできる。そこで、この実施形態では、人感センサ３Ａ、ガス検知センサ３Ｂ、塵埃センサ３Ｃおよび温度・湿度検知センサ１０Ｂを備え、以下のように運転する。
【００４４】
空気清浄機１は、ユーザにより、図示しない操作部が操作されると、モータ５が駆動されて、ファン４が回転させられて空気の清浄が開始される。そして清浄運転中において、ミストは、各センサの検知に応じて放出される。
たとえば、温度・湿度検知センサ１０Ｂを例に挙げて説明する。
図８は、カビ菌およびウィルスの活動しやすい空気の状態を説明するための図であり、カビ菌が一般的に活動しやすい範囲が領域６１で示されており、ウィルスが一般的に活動しやすい範囲が領域６２で示されている。
【００４５】
すなわち、カビ菌は、温度にかかわりなく、湿度が約６５％以上となると活動しやすい。一方、ウィルスは、温度が約１０〜１２℃以下のときに活動すると共に、湿度が４５％以下の場合には、湿度が低くなるに伴い温度が高くても活動する。
このような、カビ菌およびウィルスが活動する状態において、ミストを機外に放出させることが望ましい。よって、空気清浄機１は、温度・湿度検知センサ１０Ｂの検知に応じて以下のように制御される。
【００４６】
図９は、温度・湿度検知センサ１０Ｂの検知に応じた制御部６０の制御手順を示すフローチャートである。
まず、温度・湿度検知センサ１０Ｂにより検知された機外の温度が、１２℃以下であるか否かが判断される。そして、温度が１２℃以下であれば（ステップＳ１でＹＥＳ）、一対の電極板３５に通電されて電解水が生成されるとともに、生成された電解水に対してエアポンプ１３から空気供給路２０を介して空気が送り込まれ、泡が発生させられることにより、殺菌作用や脱臭作用を有するミストが発生させられる（ステップＳ２）。そして、噴霧口１４から機外へと放出されるミストが、排気口９から放出される風により機外に放出させられる。
【００４７】
また、機外の温度が１２℃より大きければ（ステップＳ１でＮＯ）、さらに２５℃以下であるか否かが判断される。機外の温度が１２℃より大きく２５℃以下であれば(ステップＳ３でＹＥＳ)、次いで、湿度が３５％以下であるか否か、または６５％より大きいか否かが判断される。そして、湿度が３５％以下であるか、または６５％より大きければ、上記と同様にして、ミストが機外に放出される（ステップＳ４でＹＥＳ→Ｓ２）。
【００４８】
また、機外の温度が２５℃より大きければ（ステップＳ３でＮＯ）、さらに湿度が２５％以下であるか否か、または６５％より大きいか否かが判断される。そして、湿度が２５％以下であるか、または６５％より大きければ、上記と同様にして、ミストが機外に放出される（ステップＳ５でＹＥＳ→Ｓ２）。
一方、機外の温度が２５℃より大きく、かつ、湿度が２５％より大きく６５％以下である場合には（ステップＳ５でＮＯ）、一対の電極板３５への通電が停止されて、電解水の生成が停止されるとともに、エアポンプ１３からの空気の供給も停止される。そして、機外へのミストの放出が停止される（ステップＳ６）。同様にして、機外の温度が２５℃以下であり、かつ、湿度が３５％より大きく６５％以下である場合にも（ステップＳ４でＮＯ）、機外へのミストの放出が停止される。
【００４９】
このようにして、温度・湿度検知センサ１０Ｂの検知内容に応じて、ミストが機外へ放出される。すなわち、機外の温度および湿度が、図８に示す領域６１または領域６２に、ほぼ含まれるとみなされる場合にミストを放出するので、適切（効率的）なミストの放出が可能である。
また、他のセンサについては、検知があったことに応じて、ミストが放出される。すなわち、人感センサ３Ａ、ガス検知センサ３Ｂおよび塵埃検知センサ３Ｃについては、それぞれの検知があったことに応じて、一対の電極板３５に通電されて電解水が生成されるとともに、生成された電解水に対してエアポンプ１３から空気が送り込まれてミストが発生させられ、機外へと放出させられる。これにより、機外の雰囲気に応じた適切な運転が可能である。
【００５０】
以上のように、この実施形態では、人感センサ３Ａ、ガス検知センサ３Ｂ、塵埃検知センサ３Ｃおよび温度・湿度検知センサ１０Ｂにより検知された装置周囲の雰囲気情報に応じて、ミストが発生させられて装置外に放出されるので、適切（効率的）な運転を行うことができる。
また、電極３５への通電を行って貯水タンク１５に貯められた水（たとえば、水道水）を電気分解することにより、殺菌作用や脱臭作用を有する次亜塩素酸（ＨＣｌＯ）や活性酸素を含む電解水を生成し、電解水に対して泡を発生させることにより、殺菌作用や脱臭作用を有するミストを発生させることができる。そして、このミストを機外に放出することで、専用の液体を用意することなく殺菌機能や脱臭機能を達成することができる。
【００５１】
なお、この実施形態では、空気清浄機１（排気口９）から機外へと放出される風の強弱およびミスト発生量は一定のものとして説明したが、これらを以下のように制御することも可能である。
図１０は、この発明の他の実施形態にかかる制御部６０の制御手順を示すフローチャートである。
【００５２】
他の実施形態として、制御部６０は、各センサの検知内容を１〜４のレベルに分け、検知のレベルに応じて空気清浄機１の運転を制御する。制御部６０における検知のレベル分けは、各センサによる検知の頻度や、検知内容に応じて行われる。
たとえば、温度・湿度検知センサ１０Ｂの検知においては、図８に示すような、機外の温度および湿度を示す図において、カビ菌およびウィルスが活動する範囲を４つの領域に区分する。そして、最もカビ菌およびウィルスが活動しやすい領域をレベル４の領域とし、次にカビ菌およびウィルスが活動しやすい領域をレベル３の領域とし、次にカビ菌およびウィルスが活動しやすい領域をレベル２の領域とし、カビ菌およびウィルスの活動がそれほど活動しない領域をレベル１の領域とする。そして、温度・湿度検知センサ１０Ｂの検知内容がいずれのレベルの領域に含まれるものであるかによって、検知内容をレベル１〜４に分ける。
【００５３】
また、たとえば、人感センサ３Ａの検知においては、単位時間当たりの検知回数の頻度によって、検知のレベル分けをする。具体的には、１０秒間に３回以上、ものの動きを検知することを１単位と定め、この単位が５回以上連続すればレベル４と、４回連続すればレベル３と、３回連続すればレベル２と、１回であれば(連続しなければ)レベル１として、検知内容をレベル１〜４に分ける。また、他のセンサ（ガス検知センサ３Ｂおよび塵埃検知センサ３Ｃ）においても、同様の検知が行われる。
【００５４】
なお、各センサの検知内容のレベル分けは上記のものに限らず種々の変更が可能である。
そして、空気清浄機１の運転中においては、まず、制御部６０において、各センサの検知内容のうち、レベル４の検知が存在するか否かが判断される。そして、いずれかのセンサにおいて、レベル４の検知が存在すれば（ステップＴ１でＹＥＳ）、一対の電極板３５に印加される電圧が上げられ、濃度の高い（次亜塩素酸や活性酸素を多量に含む）電解水が生成されるとともに、エアポンプ１３から送られる空気の量が増やされて、次亜塩素酸や活性酸素を多く含むミストが大量に発生させられ、機外へと放出させられる（ミスト発生量が「強」とされる）。また、モータ５の回転数が上げられることで、排気口９から機外に放出される風の勢いが増す（風量が「強」にされる）（ステップＴ２）。これにより、より殺菌効果や脱臭効果の高いミストが遠方まで拡散する。
【００５５】
なお、この説明においては、排気口９から機外へと放出される風量は、モータ５の回転数の増減により、「強」、「中」、「弱」、「微」の４段階に制御される。また、ミストの発生量は「強」、「弱」の２段階に制御され、ミスト発生量が「強」の場合は、上記のように、一対の電極板３５に印加される電圧が上げられ、濃度の高い電解水が生成されるとともに、エアポンプ１３から送られる空気の量が増やされて、次亜塩素酸や活性酸素を多く含むミストが大量に発生させられる。また、ミスト発生量が「弱」の場合には、一対の電極板３５に印加される電圧が下げられ、比較的濃度の低い電解水が生成されるとともに、エアポンプ１３から送られる空気の量が減らされて、次亜塩素酸や活性酸素が比較的少ないミストが（「強」の場合と比べて少量）発生させられる。
【００５６】
そして、いずれのセンサの検知内容においてもレベル４の検知が存在しない場合には（ステップＴ１でＮＯ）、次いで、レベル３の検知が存在するか否かが判断される。レベル３の検知が存在する場合には（Ｔ３でＹＥＳ）、排気口９からの風の風量が「中」とされ、さらに、ミスト発生量が「弱」とされる（ステップＴ４）。
また、いずれのセンサの検知内容においてもレベル３の検知が存在しない場合には（ステップＴ３でＮＯ）、次いで、レベル２の検知が存在するか否かが判断される。レベル２の検知が存在する場合には（Ｔ５でＹＥＳ）、排気口９からの風の風量が「弱」とされ、さらに、ミスト発生量が「弱」とされる（ステップＴ６）。
【００５７】
また、いずれのセンサの検知内容においてもレベル２の検知が存在しない場合には（ステップＴ５でＮＯ）、次いで、レベル１の検知が存在するか否かが判断される。レベル１の検知が存在する場合には（Ｔ７でＹＥＳ）、排気口９からの風の風量が「微」とされ、さらに、一対の電極板３５への通電が停止されて、電解水の生成が停止されるとともに、エアポンプ１３からの空気の供給も停止される。そして、ミストの放出は停止される（ステップＴ８）。
【００５８】
また、いずれのセンサの検知内容においてもレベル１の検知が存在しない場合には（いずれのセンサにおいても検知がされない場合には）、一対の電極板３５への通電が停止されて、電解水の生成が停止されるとともに、エアポンプ１３からの空気の供給も停止されて、ミストの放出が停止される。そして、モータ５の駆動が停止されて、排気口９からの風の放出も停止される。
【００５９】
以上のように、この実施形態では、ミストを発生させるべき必要性の度合いに応じて、ミストの発生量および風量の強弱が調整されるので、より適切（効率的）な運転を行うことができる。
この発明は、以上説明した実施形態に限定されるものではなく、請求項記載の範囲内において種々の変更が可能である。
【００６０】
たとえば、上述の説明においては、発生したミストは排気口９から放出される風により、機外に放出されるとしたが、ミスト発生装置１２内にミスト放出用のファンを備え、そのファンの回転により、ミストが機外に放出される構成であってもよい。
【図面の簡単な説明】
【００６１】
【図１】この発明の一実施形態に係る空気清浄機の外観構成を示す斜視図である。
【図２】図１に示す矢印Ａ−Ａに沿って見た概略断面図である。
【図３】図１に示す矢印Ｂ−Ｂに沿って見た概略断面図である。
【図４】図３における左側の筒部の近傍の断面を拡大して示す拡大断面図である。
【図５】図４に示す矢印Ｃ−Ｃに沿って見た断面図である。
【図６】図４に示す矢印Ｄ−Ｄに沿って見た断面図である。
【図７】空気清浄機の電気的構成を示すブロック図である。
【図８】カビ菌およびウィルスの活動しやすい空気の状態を説明するための図である。
【図９】温度・湿度検知センサの検知に応じた制御部の制御手順を示すフローチャートである。
【図１０】この発明の他の実施形態にかかる制御部の制御手順を示すフローチャートである。
【符号の説明】
【００６２】
３Ａ    人感センサ
３Ｂ    ガス検知センサ
３Ｃ    塵埃検知センサ
４    ファン
９    排気口
１０Ｂ    温度・湿度検知センサ
１２    ミスト発生装置
１３    エアポンプ
１５    貯水タンク
１８    泡発生室
２０    空気供給路
２１    供給口
３５    電極板
【図１】
2006006563.tif 000003
【図２】
2006006563.tif 000004
【図３】
2006006563.tif 000005
【図４】
2006006563.tif 000006
【図５】
2006006563.tif 000007
【図６】
2006006563.tif 000008
【図７】
2006006563.tif 000009
【図８】
2006006563.tif 000010
【図９】
2006006563.tif 000011
【図１０】
2006006563.tif 000012